(57)【要約】【課題】複数のセル型枠を並べて構築する構造であってもコンクリートを打設する際の圧力に十分に耐えうるような高い強度を実現でき、実用性が高いユニット型枠装置を提供する。【解決手段】セル型枠１２を縦横に接続してコンクリート構築物の成形壁面型を形成するユニット型枠装置であり、各セル型枠１２は、コンクリートパネル１６と、該コンクリートパネル１６の控え面側に外形に沿って四角枠状に立設された枠状リブ１８と、四角枠状のリブ１８の内側において立設された短手リブ２０と、枠状リブ１８の短辺リブ１８ｂと短手リブ２０にそれぞれ同一直柱の胴囲に嵌合するように同一直柱位相に設けられた嵌合凹部２２と、を有し、複数のセル型枠１２を並べて連結した状態で複数のセル型枠１２の枠状リブ１８の短辺リブ１８ｂと短手リブ２０にまたがって着脱自在に嵌着する通し柱材１４と、を含むユニット型枠装置１０から構成される。【選択図】図１
2018076640.tif 000002
【特許請求の範囲】
【請求項１】
単位型枠としてのセル型枠を縦横に密接接続してコンクリート構築物の成形壁面型を形成するユニット型枠装置であり、
各セル型枠は、
長方形のコンクリートパネルと、
該コンクリートパネルの控え面側に長方形の外形に沿って面直角に四角枠状に立設された枠状リブと、
四角枠状のリブの内側において長方形の長手に交差する方向に相互に離隔して立設された短手リブと、
枠状リブの短辺リブと短手リブにそれぞれ同一直柱の胴囲に嵌合するように同一直柱位相に設けられた嵌合凹部と、を有し、
複数のセル型枠を並べて連結した状態で複数のセル型枠の枠状リブの短辺リブと短手リブにまたがって着脱自在に嵌着する通し柱材と、を含むことを特徴とするユニット型枠装置。
【請求項２】
嵌合凹部は、四角形状の凹部であるとともに、通し柱材は、該凹部に嵌着する断面四角形柱材であることを特徴とする請求項１記載のユニット型枠装置。
【請求項３】
嵌合凹部に通し柱材を嵌着させた状態で、その外面側から通し柱材に交差するようにあてがわれ、通し柱材の外面からの押さえとセパレータの一端側受を兼用する押さえ材と、を有することを特徴とする請求項１又は２記載のユニット型枠装置。
【請求項４】
小さな間隔をあけて平行に２個配置した押さえ材に跨って外部からあてがわれる拘束部材であり、該間隔に対応する位置にセパレータ一端貫通用の孔が穿孔された拘束部材が設けられていることを特徴とする請求項１又は２記載のユニット型枠装置。
【発明の詳細な説明】
【技術分野】
【０００１】
本発明は、住宅、ビル、工場、商業施設や公共施設、その他の種々のコンクリート構築物を構築する際に利用されるユニット型枠装置に関する。
【背景技術】
【０００２】
コンクリート構造物の壁等を構築する際に利用されるコンクリート打設用の型枠として、例えば、複数のセル型枠を縦横に連結させて所定の大きさの型枠を構築するものが知られている。本出願人は、特許文献１において、複数の型枠セル体を縦横に連結して構築する型枠装置に関する技術であって、一側面側に金属板が固定された支持用立体矩形部の中空内部に複数の補強用リブを固定させて設けられた型枠用セル体に、型枠セル体どうしを複数縦横に着脱自在に連結させるための着脱連結部を設け、該着脱連結部を介して型枠セル体を縦横に連結させて型枠壁体を構築するものを提案している。特許文献１では、該型枠用セル体の着脱連結部は、立体矩形部の他側面側の四辺部に設けられたガイド溝部と、このガイド溝部に案内されて同他側面の四辺から外方に対して進退自在に移動し外方への突出移動時に縦横に隣接配置された他の型枠用セル体との連結状態をロックするロック部材と、を備えたものであった。
【先行技術文献】
【特許文献】
【０００３】
【特許文献１】特許第３０１３２４４号公報
【発明の概要】
【発明が解決しようとする課題】
【０００４】
コンクリート打設用型枠は、コンクリート打設の際の圧力に耐えうるように所定の強度、剛性が必要とされる。しかしながら、特許文献１の型枠装置では、型枠セル体の着脱連結部は、偏平な板状のロック部材をガイド溝に係合させることによって型枠セル体どうしを連結する構造であることから、着脱連結部の強度が不安であり、施工条件によってはコンクリート流し込み時の圧力に耐えきれずに、組み立てた型枠が着脱連結部から外側に膨らむように歪んで変形したり破損したりしてしまい、正確で確実なコンクリート工事を行えず、使用場面が限られてしまうおそれがあった。そこで、より強度が高い型枠装置の開発が望まれていた。
【０００５】
本発明は上記従来の課題に鑑みてなされたものであり、その一つの目的は、複数のセル型枠を並べて構築する構造であってもコンクリートを打設する際の圧力に十分に耐えうるような高い強度を実現でき、実用性が高いユニット型枠装置を提供することにある。
【課題を解決するための手段】
【０００６】
上記課題を解決するため本発明は、単位型枠としてのセル型枠１２を縦横に密接接続してコンクリート構築物の成形壁面型を形成するユニット型枠装置であり、各セル型枠１２は、長方形のコンクリートパネル１６と、該コンクリートパネル１６の控え面側に長方形の外形に沿って面直角に四角枠状に立設された枠状リブ１８と、四角枠状のリブ１８の内側において長方形の長手に交差する方向に相互に離隔して立設された短手リブ２０と、枠状リブ１８の短辺リブ１８ｂと短手リブ２０にそれぞれ同一直柱の胴囲に嵌合するように同一直柱位相に設けられた嵌合凹部２２と、を有し、複数のセル型枠１２を並べて連結した状態で複数のセル型枠１２の枠状リブ１８の短辺リブ１８ｂと短手リブ２０にまたがって着脱自在に嵌着する通し柱材１４と、を含むユニット型枠装置１０から構成される。縦方向又は横方向に隣接するセル型枠１２どうしを連結手段を介して連結することとしてもよい。
【０００７】
また、嵌合凹部２２は、四角形状の凹部であるとともに、通し柱材１４は、該凹部に嵌着する断面四角形柱材であることとしてもよい。
【０００８】
また、嵌合凹部２２に通し柱材１４を嵌着させた状態で、その外面側から通し柱材１４に交差するようにあてがわれ、通し柱材１４の外面からの押さえとセパレータ２４の一端側受を兼用する押さえ材２６と、を有することとしてもよい。
【０００９】
また、小さな間隔４２をあけて平行に２個配置した押さえ材２６に跨って外部からあてがわれる拘束部材４６であり、該間隔４２に対応する位置にセパレータ一端貫通用の孔４８が穿孔された拘束部材４６が設けられていることとしてもよい。
【発明の効果】
【００１０】
本発明のユニット型枠装置によれば、単位型枠としてのセル型枠を縦横に密接接続してコンクリート構築物の成形壁面型を形成するユニット型枠装置であり、各セル型枠は、長方形のコンクリートパネルと、該コンクリートパネルの控え面側に長方形の外形に沿って面直角に四角枠状に立設された枠状リブと、四角枠状のリブの内側において長方形の長手に交差する方向に相互に離隔して立設された短手リブと、枠状リブの短辺リブと短手リブにそれぞれ同一直柱の胴囲に嵌合するように同一直柱位相に設けられた嵌合凹部と、を有し、複数のセル型枠を並べて連結した状態で複数のセル型枠の枠状リブの短辺リブと短手リブにまたがって着脱自在に嵌着する通し柱材と、を含むことから、複数のセル型枠にまたがってコンクリートパネルの控え面側に通し柱材が配置されるので、コンクリート打設の際の圧力に抗して型枠形成面を確実に保持できるのに十分な強度のコンクリート型枠を実現でき、その結果種々のコンクリート構築物の施工への実用性を向上しうる。
【００１１】
また、嵌合凹部は、四角形状の凹部であるとともに、通し柱材は、該凹部に嵌着する断面四角形柱材である構成とすることにより、通し柱材をセル型枠に対して着脱操作しやすく型枠工をスムーズに行えるとともに、通し柱材のセル型枠の控え面側に接触する面積が大きく、型枠強度をより向上しうる。
【００１２】
また、嵌合凹部に通し柱材を嵌着させた状態で、その外面側から通し柱材に交差するようにあてがわれ、通し柱材の外面からの押さえとセパレータの一端側受を兼用する押さえ材と、を有する構成とすることにより、通し柱材を複数のセル型枠に嵌着させた状態を確実に保持でき、型枠内へのコンクリート打設の際の圧力に確実に耐えて、正確なコンクリート打設工事を実現できる。
【００１３】
また、小さな間隔をあけて平行に２個配置した押さえ材に跨って外部からあてがわれる拘束部材であり、該間隔に対応する位置にセパレータ一端貫通用の孔が穿孔された拘束部材が設けられている構成とすることにより、通し柱材を複数のセル型枠に嵌着させた状態を確実に保持でき、型枠内へのコンクリート打設の際の圧力に確実に耐えて、正確なコンクリート打設工事を実現できる。
【図面の簡単な説明】
【００１４】
【図１】本実施形態に係るユニット型枠装置の第１の実施形態の斜視図である。
【図２】図１のユニット型枠装置の控え側から見た図である。
【図３】図２のユニット型枠装置のＡ−Ａ線断面図である。
【図４】図１のユニット型枠装置の１つのセル型枠の控え側から見た斜視図である。
【図５】図４のセル型枠の正面側から見た斜視図である。
【図６】図４のセル型枠の控え側から見た背面図である。
【図７】図７のセル型枠の側面図である。
【図８】図１のユニット型枠装置のセル型枠を接続する際の説明図である。
【図９】図１のユニット型枠装置のセル型枠を接続する際の説明図である。
【図１０】図１のユニット型枠装置のセル型枠を接続する際の説明図である。
【図１１】本実施形態に係るユニット型枠装置の第２の実施形態の背面図の一部拡大図である。
【図１２】図１１のユニット型枠装置の分解状態を示す斜視説明図である。
【図１３】図１１のユニット型枠装置の斜視図の一部拡大図である。
【発明を実施するための形態】
【００１５】
以下添付図面を参照しつつ本発明のユニット型枠装置の実施形態について説明する。本発明に係るユニット型枠装置は、例えば、住宅、ビル、その他のコンクリート構築物を施工する際に利用されるコンクリート打設用型枠であり、無筋コンクリート、鉄筋コンクリートの形成に利用されうる。図１ないし図９は、本発明のユニット型枠装置の第１の実施形態を示している。本実施形態に係るユニット型枠装置１０は、単位型枠としてのセル型枠１２を縦横に密接接続してコンクリート構築物の成形壁面型を形成する。図１、図２、図３に示すように、ユニット型枠装置１０は、複数のセル型枠１２と、セル型枠１２に係合する通し柱材１４と、を備える。
【００１６】
図１、図４、図５、図６、図７に示すように、各セル型枠１２は、コンクリートパネル１６と、コンクリートパネル１６の控え面側に設けられた枠状リブ１８と、枠状リブ１８の内側に設けられた短手リブ２０と、枠状リブ１８と短手リブ２０に設けられた嵌合凹部２２と、を有する。本実施形態では、コンクリートパネル１６は、例えば、縦４５０ｍｍ×横９００ｍｍの横長長方形状の板部材から形成されており、一つの表面側がコンクリート打設時のコンクリート接触面側となり、他方の背面側が控え面側となる。コンクリートパネルは、例えば、合板等の硬質素材からなり、コンクリートと接触する表面側は剥離剤等で処理されているとよい。なお、コンクリートパネル１６の大きさは、任意でもよい。コンクリートパネル１６には、後述のセパレータ２４を貫通させる孔１７が穿孔されている。
【００１７】
枠状リブ１８は、コンクリートパネル１６の控え面側に該コンクリートパネル１６の長方形の外形に沿って面直角に四角枠状に立設されている。枠状リブ１８は、例えば、木製又は金属等の硬質素材から形成されており、断面長方形状で一方に長い四角柱部材を長方形状の各辺に対応するようにコンクリートパネルに固定されている。枠状リブ１８の各リブ部材は、一つの側面がコンクリートパネル１６の背面に密着し、該密着した側面に直角な側面が該コンクリートパネル１６の背面に対して直角となるように固定されている。本実施形態では、枠状リブ１８は、コンクリートパネル１６の長辺に沿って配置される長辺リブ部材１８ａと、該長辺リブ部材１８ａと直交して同コンクリートパネル１６の短辺に沿って配置される短辺リブ部材１８ｂと、を含む。枠状リブ１８の長辺リブ部材１８ａと短辺リブ部材１８ｂは、コンクリートパネル１６の控え面側からの立設幅が同じに設定されている。短辺リブ１８ｂには、後述のように嵌合凹部２２が設けられている。枠状リブ１８は、セル型枠１２を縦横に並べる際に縦又は横に隣接するセル型枠１２の枠状リブ１８どうしで密接されるとともに、連結手段２８を介してそれらの密接した枠状リブ１８どうしが締結される。本実施形態では、連結手段２８は、例えば、ボルト、ナットを有する。枠状リブ１８の長辺リブ部材１８ａと短辺リブ部材１８ｂにはそれぞれボルトを通すように穿穴された貫通孔２９が設けられており、該貫通孔にボルトを通してナットで締結して、縦又は横に隣接するセル型枠１２どうしが締結される。
【００１８】
短手リブ２０は、四角枠状の枠状リブ１８の内側にコンクリートパネル１６の控え側面から外部に向けて突出するように立設されている。短手リブ２０は、例えば、枠状リブの短辺リブ部材と略同じように設けられており、木材又は金属等の硬質素材から形成された断面四角形状で一方に長い四角柱部材からなる。短手リブ２０は、四角枠状の枠状リブ１８の内側において長方形の長手に直交状に交差して配置され、枠状リブ１８の短辺リブ１８ｂと平行に配置されている。さらに、短手リブ２０は、後述の嵌合凹部２２を挟んで長方形のパネルの長手に交差する方向に相互に離隔して配置されている。短手リブ２０のコンクリートパネル１６の控え側面からの立設幅は、枠状リブ１８の短辺リブ部材１８ｂのコンクリートパネル１６の控え側面からの立設幅と同じに設定され、枠状リブ１８と短手リブ２０の外面側が略面一となるように形成されている。なお、短手リブ２０の個数や配置位置は任意でもよく、コンクリートパネル１６の大きさや必要強度に応じて設定するとよい。
【００１９】
嵌合凹部２２は、枠状リブ１８の短辺リブ部材１８ｂと短手リブ２０にそれぞれ設けられている。短辺リブ部材１８ｂと短手リブ２０においての嵌合凹部２２の形成位置は、後述の通し柱材１４からなる直柱の胴囲に嵌合するように、一直線上に位相を合わせて、すなわち、同一直柱位相に、設けられている。本実施形態では、嵌合凹部２２は、例えば、短辺リブ部材１８ｂ、短手リブ２０の上下方向の略中央位置に設けられている。嵌合凹部２２は、例えば、外部側を開口した四角形状の凹部からなり、開口側の幅と凹部底の幅が略同じに設定されている。本実施形態では、嵌合凹部２２は、例えば、開口幅が１２０ｍｍ、凹部深さが６０ｍｍとなっている。さらに嵌合凹部２２の底部は、コンクリートパネル１６の背面となっている。なお、嵌合凹部２２の形状や位置、個数等は、コンクリートパネル１６の大きさやコンクリート構築物の条件等に応じて任意に設定してもよい。
【００２０】
本実施形態では、図１、図２、図３に示すように、例えば、複数のセル型枠１２を縦横５に並べて連結手段２８で密接接続して形成した２つの型枠壁体１３をコンクリート打設用の間隙をあけて対向配置させ、セパレータ２４を介して間隔を保持しながら各セル型枠１２どうしで連結される。セパレータ２４は、両端部をそれぞれコンクリートパネル１６に形成された貫通孔１７に挿通させ、パネル表面側にプラスチックコーン２５を、控え面側に控え側締結部材３２を、それぞれ配置して締結されている。図１、図２では、例えば、それぞれの型枠壁体１３は、縦４×横５の合計２０個のセル型枠群を配列して構築している。なお、図では、説明のために対向する２つの型枠壁体１３どうしの間隙の側方側端部は、側方端コンクリートパネル３０で閉鎖して構成されているが、これに限らず複数のセル型枠１２を組み合わせて形成したものや、複数のセル型枠１２をＬ字状のコーナーを含むように組み合わせた構成等、その他任意の構成としてもよい。
【００２１】
図１、図２、図３に示すように、通し柱材１４は、複数のセル型枠１２を並べて連結した状態で複数のセル型枠１２の枠状リブ１８の短辺リブ部材１８ｂと短手リブ２０とにまたがってそれらの嵌合凹部２２位置に着脱自在に嵌着する連結手段である。よって、通し柱材１４は、例えば横方向に相互に密着して並べられた複数のセル型枠１２にまたがって同時に嵌着される。本実施形態では、通し柱材１４は、例えば、嵌合凹部２２に嵌着する断面四角形状の角形鋼管から構成されている。本実施形態では、通し柱材１４は、例えば、６０ｍｍ×６０ｍｍの断面正方形状の角形鋼管の２本を、それらの一つの側面どうしを密着した状態で溶接して、断面外形輪郭形状が６０ｍｍ×１２０ｍｍの四角形となる１つの角柱材として設けられている。通し柱材１４は、複数のセル型枠１２にまたがるように、例えば４〜５ｍに設定され、該通し柱材１４の長手方向の長さが１つのセル型枠１２の長手方向長さより十分に長く設定されている。通し柱材１４は、嵌合凹部２２に嵌着されるとその一つの側面がコンクリートパネル１６の控え面側に密着された状態となるとともに、該通し柱材１４の他方の外面側が枠状リブ１８の短辺リブ部材１８ｂ及び短手リブ部材２０の外面側と略面一状となるようなっている。
【００２２】
図１、図２、図３に示すように、本実施形態では、嵌合凹部２２に通し柱材１４を嵌着させた状態で、通し柱材１４をその外面から押さえる押さえ材２６を有している。押さえ材２６は、セパレータ２４のコンクリートパネル１６を貫通して控え面側から突出された一端側を受けるように該セパレータ２４に連結されてセル型枠１２と一体的に組み付けられる。すなわち、押さえ材２６は、通し柱材１４の外面からの押さえとセパレータ２４の一端側受を兼用する押さえ兼連結手段である。押さえ材２６は、例えば、一方に長い長尺部材等からなり、嵌合凹部に嵌着させた通し柱材１４に交差するようにあてがわれて配置される。押さえ材２６は、セパレータ２４の一端を受けるように接続される。押さえ材２５は、セパレータ２４の延長された一端側を貫通する貫通孔が設けられており、外面側に押さえ締結部材３４が締結されて一体的に連結される。押さえ材２６は、通し柱材に交差する方向、すなわち縦方向に並べて配列される複数のセル型枠１２に連結されたセパレータ２４に同時に連結されて、それらの縦方向のセル型枠１２どうしを連結している。押さえ材２６は、通し柱材１４を押さえる構成であればよく、形状や大きさ等も任意でよい。
【００２３】
図１、図２、図３に示すように、複数のセル型枠１２を縦横に密接接続して形成したユニット型枠装置１０は、例えば、支持機構３６によって支持される。支持機構３６は、例えば、型枠壁体１３の控え側に配置され、一端を押さえ材２６の上下中間位置にボルトナット等を介して接続し、他端を地面に固定させた固定部材３８等にボルトナット等で接続した支持部材４０を有する。なお、ユニット型枠装置１０を支持するための手段は、例えば、単に地面等に載置するだけで自立させることとしてもよいし、押さえ材２６の下端やその他の固定用部材を地面側に直接固定して自立させて支持したり、セル型枠や押さえ材等をあらかじめ打設した基礎コンクリート等に固定したりすることとしてもよく、その他任意の指示構造としてもよい。
【００２４】
次に、図８、図９、図１０をも参照しつつ、本実施形態に係るユニット型枠装置１０の作用について説明する。図８に示すように、例えば、横方向に複数のセル型枠１２を互いに密接して並べて配置し、連結手段２８であるボルト、ナットを介して枠状リブ１８の短辺リブ部材１８ｂどうしを締結する。それらの横方向に並べた複数のセル型枠１２の枠状リブ１８の短辺リブ部材１８ｂと短手リブ２０に設けられて一直線状に並ぶ嵌合凹部２２に、通し柱材１４を嵌着させる。図９、図１０に示すように、各セル型枠１２のコンクリートパネル１６を貫通したセパレータ２４の一端側に控え側連結部材３２を締結するとともに、通し柱材１４の外面からあてがわせた押さえ材２６に該セパレータ一端を貫通させつつその貫通端部に押さえ締結部材３４を締結して、セル型枠１２と通し柱材１４と押さえ材２６とセパレータ２４とを一体化する。なお、図８、図９、図１０では、説明のためにコンクリート打設間隙を空けて対向配置されるセル型枠群については省略している。図１に示すように、縦方向に並べられるセル型枠１２についても同様に、通し柱材１４を嵌着しておき、押さえ材２６とセパレータ２４を締結して連結して型枠壁体１３、ユニット型枠装置１０を構築していく。なお、縦方向に隣接するセル型枠１２どうしも連結手段２８を介して枠状リブ１８の長辺リブ部材１８ａをどうし密接して締結する。複数のセル型枠１２は、それらの控え側に通し柱材１４を同時にまたがらせた状態で係合されているので、コンクリート打設時にかかる圧力に抗して、互いに連結して形成した型枠壁体の面形状を保持できる高い強度を実現することができる。その結果、種々のコンクリート構築物の壁を形成する際に広く利用することができる実用性の高い型枠装置を提供することができる。なお、コンクリートを打設して固まった後には、上記とは逆の手順で押さえ材２６をセパレータ２４との連結を解除して取り外し、通し柱材１４を嵌合凹部２２から離脱させ、セル型枠１２をコンクリートから離型することができる。
【００２５】
次に、図１１、図１２、図１３を参照しつつ本発明のユニット型枠装置の第２の実施形態について説明する。上記した第１実施形態と同一構成、同一部材には、同一符号を付し、その詳細な説明は省略する。図１１、図１２、図１３に示すように本実施形態では、ユニット型枠装置１０−２は、上記実施形態同様に、複数のセル型枠１２と、通し柱材１４と、を含む。セル型枠１２の枠状リブ１８、短手リブ２０、嵌合凹部２２及び通し柱材１４等の構成も上記実施形態と同じ構成であるが、本実施形態では、通し柱材１４を押さえる押さえ材２６の構成が異なっている。
【００２６】
本実施形態では、押さえ材２６は、例えば、該押さえ材２６の幅と比較して小さな間隔４２をあけて平行に２個配置されており、その間隔４２に挿入されたスペーサ４４を介して互いに連結固定されている。２個の押さえ材２６の間隙４２にセパレータ２４の一端側が貫通されてその貫通した端部が押さえ材２６より突出するようになっている。２個の押さえ材２６の外面側には、拘束部材４６が該２個の押さえ材２６に跨って外部からあてがわれる。拘束部材４６は、例えば、略コ字状に曲折したコ字板部材からなり、２個の押さえ材２６に嵌合状に係合する。拘束部材４６には、２個の押さえ材２６どうしの該間隔４２に対応する位置にセパレータ２４の一端貫通用の孔４８が穿孔されており、該セパレータ２４の一端側を貫通させた状態で押さえ締結部材３４で締結されて、押さえ材が通し柱材１４を押さえた状態でセパレータ２４と連結される。本実施形態においても、上記実施形態同様に、高い強度の型枠装置を実現できる等の作用効果を奏しうる。
【００２７】
以上説明した本発明のユニット型枠装置は、上記した実施形態のみの構成に限定されるものではなく、特許請求の範囲に記載した本発明の本質を逸脱しない範囲において、任意の改変を行ってもよい。
【産業上の利用可能性】
【００２８】
本発明のユニット型枠装置は、例えば、住宅、ビル、工場、その他のコンクリート構築物の壁等を形成する際に利用される。
【符号の説明】
【００２９】
１０    ユニット型枠装置
１２    セル型枠
１４    通し柱材
１６    コンクリートパネル
１８    枠状リブ
２０    短手リブ
２２    嵌合凹部
２４    セパレータ
２６    押さえ材
４２    間隙
４４    スペーサ
４６    拘束部材
【図１】
2018076640.tif 000003
【図２】
2018076640.tif 000004
【図３】
2018076640.tif 000005
【図４】
2018076640.tif 000006
【図５】
2018076640.tif 000007
【図６】
2018076640.tif 000008
【図７】
2018076640.tif 000009
【図８】
2018076640.tif 000010
【図９】
2018076640.tif 000011
【図１０】
2018076640.tif 000012
【図１１】
2018076640.tif 000013
【図１２】
2018076640.tif 000014
【図１３】
2018076640.tif 000015